(57)【要約】      （修正有）【課題】巣礎枠を保持して旋回する回転フレームを備えた蜂蜜遠心分離容器であって、清掃時には容器の蓋を取り外し、容器内回転フレームを簡単に取り外せる蜂蜜遠心分離容器を提供する。【解決手段】円筒状容器２と蓋体３と回転フレーム４とで構成し、円筒状容器２は底面中央に回転フレーム４の回転中心となる回転軸を立設し、底面には蜂蜜流出口を形成する。円筒状容器を塞ぐ蓋体中央には回転フレームの上部回転軸４ａを内輪に挿通させる円形軸受３ａを取り付ける。巣礎枠を保持して水平旋回する回転フレー４は上方に向けて取り付けた回転軸の先端部を蓋体の円形軸受３ａから突出させ、円筒状容器２の回転軸先端部との間に取り付けた円錐ころ軸受に支持されて水平旋回するよう構成する。回転フレーム４の上方回転軸４ａの先端部には市販電気ドリルの先端部で掴むことのできる六角形柱状部を形成しておく。【選択図】図１２
2020005516.tif 000002
【特許請求の範囲】
【請求項１】
巣礎枠に形成された蜂の巣から蜂蜜を抽出する遠心分離機に使用する蜂蜜遠心分離容器であって、
該蜂蜜遠心分離容器は円筒状容器と、蓋体と、回転フレームとから構成され、
前記円筒状容器は底面中央に前記回転フレームの回転中心となる回転軸が立設され、底面には抽出した蜂蜜を流出させる流出口が形成してあり、
前記蓋体は前記円筒状容器の上方開口を塞ぐ蓋体で、中央には前記回転フレームの上部回転軸をその内輪内側に挿通させる円形軸受が取り付けてあり、
前記回転フレームは蜂の巣の形成された巣礎枠を保持して前記円筒状容器内で水平旋回する枠体で、上方に向けて取り付けた回転軸の先端部を前記蓋体の円形軸受から突出させ、前記円筒状容器の回転軸先端部との間に取り付けた円錐ころ軸受に支持された状態で円筒状容器の回転軸周りに水平旋回するように構成され、
前記蓋体の中央円形軸受から突出する前記回転フレームの上方回転軸の先端部には、市販電気ドリルの先端部で掴むことのできる六角形柱状部が形成してあることを特徴とする蜂蜜遠心分離容器。
【請求項２】
請求項１に記載の蜂蜜遠心分離容器において、前記回転フレームは蜂の巣の形成された巣礎枠を保持して前記円筒状容器内で水平旋回する枠体で、上方回転軸と、その下端に取り付けた円錐ころ軸受収容部と、巣礎枠保持体とからなり、
前記円錐ころ軸受収容部は下面が開口した上側短円筒状カバーと、円錐ころ軸受と、上面が開口した下側短円筒状カバーからなり、上側短円筒状カバーの上面中央には前記上方回転軸が立設してあり、下側短円筒状カバーはカバー中央に前記円筒状容器の回転軸が通過できる開口が形成してあり、その円筒壁内面に形成した雌螺子部を上側短円筒状カバー円筒壁外面に形成した雄螺子部に螺合させて両者間に空間を形成でき、該空間には前記円錐ころ軸受が収容してあり、該円錐ころ軸受の内輪には該内輪に挿入できる径に先端部を細めた前記円筒状容器の回転軸を挿通させた状態で径を細める段差部分で円錐ころ軸受の内輪下面を支持するようにしてあり、前記上側短円筒状カバーの内面は前記円錐ころ軸受の外輪を丁度収容できる径に形成され、外輪を収容した状態では上側短円筒状カバーの内面上部壁が円錐ころ軸受の外輪上面を押さえた状態になるように内面上部径が狭めてあり、
前記巣礎枠保持体は６個の断面コ字状の溝形枠体と６本のＹ形状棒とＹ形状棒支持円筒体とからなり、該Ｙ形状棒支持円筒体は前記円筒状容器の回転軸を挿通できる内径の短円筒体で前記円錐ころ軸受収容部の下方に配置され、前記上側３本のＹ形状棒の基部は前記円錐ころ軸受収容部の上側短円筒状カバーの上部側面に１２０度間隔で放射状に設けた貫通孔に挿通して固定してあり、下側３本のＹ形状棒の基部は前記Ｙ形状棒支持円筒体の側面に１２０度間隔で放射状に設けた挿入穴に各Ｙ形状棒が上側３本のＹ形状棒の真下に位置するように取り付けてあり、上下位置にある２本のＹ形状棒の二股に別れた各枝棒間には前記断面コ字状溝形枠体がコ字状底部背面を各枝棒間に固定した状態で垂直に掛け渡してあり、隣り合うＹ形状棒に取り付けられて向き合う２個の溝形枠体の溝底面は平行に向き合うように各Ｙ形状棒４ｋを構成する３本の棒の角度が調整してあり、垂直に取り付けられた各溝形枠体の長手方向下端には向き合う２個の溝形枠体間に上下摺動可能に巣礎枠を収納した四角形金網籠を取り付けたとき、その金網籠の落下を防ぐＬ形折り曲げ部が形成してあり、
前記蓋体の中央円形軸受から突出する前記回転フレームの上方回転軸の先端部には、市販電気ドリルの先端部で掴むことのできる六角形柱状部が形成してあることを特徴とする蜂蜜遠心分離容器。
【発明の詳細な説明】
【技術分野】
【０００１】
本発明は、養蜂箱内の巣礎枠に蜜蜂が形成した蜂蜜を含む巣から蜂蜜を抽出する遠心分離機に使用する蜂蜜遠心分離容器に関する。
【背景技術】
【０００２】
蜜蜂は養蜂家が養蜂箱内の設置した巣礎を張り付けた巣礎枠に蜂蜜を含む巣を作る。養蜂家は巣礎枠に形成された蜜蜂の巣から蜂蜜を抽出する。日本蜜蜂の作る巣からの蜂蜜の抽出には遠心分離機が使用される。蜂の巣が形成された巣礎枠を回転フレームで保持して円筒容器内で高速回転させ、遠心力で蜂蜜を抽出する。
【０００３】
このような目的に使用される遠心分離機の回転にはモータ、あるいは傘歯車を使用した手回し機械が使用される（特許文献１）。回転駆動装置は回転させる回転フレームから反力を受けるため、駆動装置は円筒容器に強固に固定されており、このため装置は複雑、大型化する。また、回転フレームや円筒容器内には蜂蜜が付着するため、不使用時には清掃の必要がある。清掃のためには巣礎枠を保持する回転フレームを円筒容器内から簡単に外せる構造になっていることが望ましい。しかし従来の装置は、駆動装置部分が円筒容器に強固に固定されていて取り外し不可能であったり、取り外しできてもその作業が簡単でなかったりする問題がある。
【先行技術文献】
【特許文献】
【０００４】
【特許文献１】登録実用新案第３１８６９６５号公報
【発明の概要】
【発明が解決しようとする課題】
【０００５】
本発明は、従来技術のこうした問題点を解決するためになされたもので、その課題は、巣礎枠を保持して円筒状容器内で回転する回転フレームを備えた遠心分離機用の蜂蜜遠心分離容器であって、回転フレームを駆動する駆動装置を円筒状容器に固定しておく必要がなく、清掃時には円筒状容器の蓋を取り外して容器内回転フレームを容器の外に簡単に取り出せる蜂蜜遠心分離容器を提供することにある。
【課題を解決するための手段】
【０００６】
前記課題を解決するための請求項１に記載の発明は、巣礎枠に形成された蜂の巣から蜂蜜を抽出する遠心分離機に使用する蜂蜜遠心分離容器であって、該蜂蜜遠心分離容器は円筒状容器と、蓋体と、回転フレームとから構成され、前記円筒状容器は底面中央に前記回転フレームの回転中心となる回転軸が立設され、底面には抽出した蜂蜜を流出させる流出口が形成してあり、前記蓋体は前記円筒状容器の上方開口を塞ぐ蓋体で、中央には前記回転フレームの上部回転軸をその内輪内側に挿通させる円形軸受が取り付けてあり、前記回転フレームは蜂の巣の形成された巣礎枠を保持して前記円筒状容器内で水平旋回する枠体で、上方に向けて取り付けた回転軸の先端部を前記蓋体の円形軸受から突出させ、前記円筒状容器の回転軸先端部との間に取り付けた円錐ころ軸受に支持された状態で円筒状容器の回転軸周りに水平旋回するように構成され、前記蓋体の中央円形軸受から突出する前記回転フレームの上方回転軸の先端部には、市販電気ドリルの先端部で掴むことのできる六角形柱状部が形成してあることを特徴とする蜂蜜遠心分離容器である。
【０００７】
このような構成の蜂蜜遠心分離容器では、円筒状容器内で巣礎枠を保持して旋回する回転フレームは円筒状容器内に立設した回転軸の先端部に円形軸受を介して載っているだけである。このため清掃時には蓋体、回転フレームを円筒状容器の外に簡単に取り出してそれら各部品の清掃を容易に行なうことができる利点を有する。また、回転フレームの旋回には市販電気ドリルを使用できる。市販電気ドリルには充電式のものがあり、充電式電気ドリルを使用すれば、電気配線の届かない場所でも蜂蜜抽出作業ができる利点を有する。
【０００８】
また、請求項２に記載の発明は、請求項１に記載の蜂蜜遠心分離容器において、前記回転フレームは蜂の巣の形成された巣礎枠を保持して前記円筒状容器内で水平旋回する枠体で、上方回転軸と、その下端に取り付けた円錐ころ軸受収容部と、巣礎枠保持体とからなり、前記円錐ころ軸受収容部は下面が開口した上側短円筒状カバーと、円錐ころ軸受と、上面が開口した下側短円筒状カバーからなり、上側短円筒状カバーの上面中央には前記上方回転軸が立設してあり、下側短円筒状カバーはカバー中央に前記円筒状容器の回転軸が通過できる開口が形成してあり、その円筒壁内面に形成した雌螺子部を上側短円筒状カバー円筒壁外面に形成した雄螺子部に螺合させて両者間に空間を形成でき、該空間には前記円錐ころ軸受が収容してあり、該円錐ころ軸受の内輪には該内輪に挿入できる径に先端部を細めた前記円筒状容器の回転軸を挿通させた状態で径を細める段差部分で円錐ころ軸受の内輪下面を支持するようにしてあり、前記上側短円筒状カバーの内面は前記円錐ころ軸受の外輪を丁度収容できる径に形成され、外輪を収容した状態では上側短円筒状カバーの内面上部壁が円錐ころ軸受の外輪上面を押さえた状態になるように内面上部径が狭めてあり、前記巣礎枠保持体は６個の断面コ字状の溝形枠体と６本のＹ形状棒とＹ形状棒支持円筒体とからなり、該Ｙ形状棒支持円筒体は前記円筒状容器の回転軸を挿通できる内径の短円筒体で前記円錐ころ軸受収容部の下方に配置され、前記上側３本のＹ形状棒の基部は前記円錐ころ軸受収容部の上側短円筒状カバーの上部側面に１２０度間隔で放射状に設けた貫通孔に挿通して固定してあり、下側３本のＹ形状棒の基部は前記Ｙ形状棒支持円筒体の側面に１２０度間隔で放射状に設けた挿入穴に各Ｙ形状棒が上側３本のＹ形状棒の真下に位置するように取り付けてあり、上下位置にある２本のＹ形状棒の二股に別れた各枝棒間には前記断面コ字状溝形枠体がコ字状底部背面を各枝棒間に固定した状態で垂直に掛け渡してあり、隣り合うＹ形状棒に取り付けられて向き合う２個の溝形枠体の溝底面は平行に向き合うように各Ｙ形状棒４ｋを構成する３本の棒の角度が調整してあり、垂直に取り付けられた各溝形枠体の長手方向下端には向き合う２個の溝形枠体間に上下摺動可能に巣礎枠を収納した四角形金網籠を取り付けたとき、その金網籠の落下を防ぐＬ形折り曲げ部が形成してあり、前記蓋体の中央円形軸受から突出する前記回転フレームの上方回転軸の先端部には、市販電気ドリルの先端部で掴むことのできる六角形柱状部が形成してあることを特徴とする蜂蜜遠心分離容器である。
【０００９】
このような構成の蜂蜜遠心分離容器は、請求項１に記載の発明と同様の効果を奏する。
【図面の簡単な説明】
【００１０】
【図１】本発明に係る蜂蜜遠心分離容器１の外観斜視図である。
【図２】容器本体部と蓋のみを縦断面で描いた蜂蜜遠心分離容器１の正面図である。
【図３】蜂蜜遠心分離容器１の分解斜視図である。
【図４】蜂蜜遠心分離容器１の縦断面図である。
【図５】回転フレーム４の平面図と正面図である。
【図６】回転フレーム４の上部の分解断面図である。
【図７】円錐ころ軸受４ｄの形状図である。
【図８】蜂の巣が形成された巣礎枠１０の外観例である。
【図９】巣礎枠１０を収納して保持する金網籠１１である。
【図１０】巣礎枠１０の金網籠１１への収納図である。
【図１１】金網籠１１を取り付けた巣礎枠保持体４ｃの平面図である。
【図１２】回転フレーム４を電気ドリルで水平旋回させている状態図である。
【発明を実施するための形態】
【００１１】
以下、本発明に係る蜂蜜遠心分離容器の一実施形態について図面を参照して説明する。図１は蜂蜜遠心分離容器１の外観斜視図、図２は容器本体部と蓋のみを縦断面で描いた正面図、図３は分解斜視図、図４は縦断面図である。図３に示すように蜂蜜遠心分離容器１は円筒状容器２と、蓋体３と、回転フレーム４とから構成される。
【００１２】
円筒状容器２は、底面中央に回転フレーム４の回転中心となる回転軸２ａが立設され、底面には抽出した蜂蜜を流出させる流出口２ｂが形成してある。蓋体３は円筒状容器２の上方開口を塞ぐ蓋で、中央には回転フレーム４の上部回転軸４ａをその内輪内側に挿通させる円形軸受３ａが取り付けてある。
【００１３】
回転フレーム４は、蜂の巣の形成された巣礎枠を保持して円筒状容器２内で水平旋回する枠体である。図４の断面図に示すように、回転フレーム４は上方に向けて取り付けた上部回転軸４ａの先端部を蓋体３の円形軸受３ａから突出させ、円筒状容器２の回転軸２ａ先端部との間に取り付けた円錐ころ軸受４ｄに支持された状態で円筒状容器２の回転軸２ａの頂部で水平旋回するように構成されている。図５の（１）は回転フレーム４の平面図、図５の（１）は正面図であり、図３中に斜視図を示す。図６は回転フレーム４の上部の分解断面図である。回転フレーム４は上方回転軸４ａ、その下端に取り付けた円錐ころ軸受収容部４ｂ、巣礎枠保持体４ｃで構成されている。
【００１４】
図６に示すように、円錐ころ軸受収容部４ｂは下面が開口した上側短円筒状カバー４ｅ、円錐ころ軸受４ｄ、上面が開口した下側短円筒状カバー４ｆから構成されている。上側短円筒状カバー４ｅの上面中央には、上方回転軸４ａが立設してある。上方回転軸２ａは蓋体３の円形軸受３ａの内輪に挿通される。上方回転軸４ａの先端部には、市販電気ドリルの先端部で掴むことのできる六角形柱状部４ｇが形成してある。
【００１５】
下側短円筒状カバー４ｆは、中央に円筒状容器２の回転軸２ａが通過できる開口が形成してあり、その円筒壁内面に形成した雌螺子部４ｈを上側短円筒状カバー４ｅの円筒壁外面に形成した雄螺子部４ｉに螺合させる。螺合させると両者間に空間が形成される。その空間に円錐ころ軸受４ｄが取り付けてある。図７は本実施形態で使用している市販の円錐ころ軸受４ｄの形状図である。円錐ころ軸受４ｄは外輪、内輪、円錐台形状のころ、ころ保持器から構成されており、半径方向の力に加え、スラスト軸受のように軸方向の力を支持できる軸受である。
【００１６】
円錐ころ軸受４ｄの内輪には、該内輪に挿入できる径に先端部を細めた円筒状容器２の回転軸２ａを挿通させ、その状態で回転軸２ａの細めた段差部分２ｃで円錐ころ軸受４ｄの内輪を下から支持する。上側短円筒状カバー４ｅの内面は、円錐ころ軸受４ｄの外輪を丁度収容できる径に形成され、外輪を収容した状態では上側短円筒状カバー４ｅの内面上部壁が円錐ころ軸受４ｄの外輪上面を押さえた状態になるよう内面上部径が狭めてある。このような構成により回転フレーム４は、円錐ころ軸受４ｄの外輪に支持された状態で外輪と共に、円筒状容器２の回転軸２ａに支持された円錐ころ軸受４ｄの内輪との間のころ上で水平旋回する。
【００１７】
図５の（１）は回転フレーム４の平面図、図５の（２）は正面図である。巣礎枠を保持する部分である巣礎枠保持体４ｃは６個の断面コ字状の溝形枠体４ｊ、それを支持する６本のＹ形状棒４ｋ、Ｙ形状棒支持円筒体４ｍから構成されている。Ｙ形状棒支持円筒体４ｍは下側３本のＹ形状棒４ｋを支持する短円筒体で、内径は円筒状容器２の回転軸２ａを挿通できる径で、円錐ころ軸受収容部４ｂの下方に配置されている。上側３本のＹ形状棒４ｋの基部は、円錐ころ軸受収容部４ｂの上側短円筒状カバー４ｅの上部側面に１２０度間隔で放射状に設けた貫通孔に挿通して固定してある。下側３本のＹ形状棒４ｋの基部は、Ｙ形状棒支持円筒体４ｍの側面に同じく１２０度間隔で放射状に設けた挿入穴に、各棒が上側３本のＹ形状棒４ｋの真下に位置するように取り付けてある。
【００１８】
上下位置にある２本のＹ形状棒４ｋの二股に別れた各枝棒間には、断面コ字状の溝形枠体４ｊがコ字状底部背面を各枝棒に固定した状態で垂直に掛け渡してある。隣のＹ形状棒４ｋに取り付けられて向き合う２個の溝形枠体４ｊの溝底面は平行に向き合うように各Ｙ形状棒４ｋを構成する３本の棒の角度が調整してある。また、垂直に取り付けられた各溝形枠体４ｊの長手方向下端には、向き合う２個の溝形枠体４ｊ間に上下摺動可能に巣礎枠１０を収納した四角形金網籠１１を取り付けたとき、その金網籠１１の落下を防ぐＬ形折り曲げ部４ｎが形成してある。
【００１９】
図８は蜂の巣が形成された巣礎枠１０の外観例である。図９の（１）はその巣礎枠１０を収納して保持する金網籠１１である。金網籠１１は四角形筒状で、図９の（２）に示すように一側面が開閉可能にされている。図１０の（２）に示すように、その側面を開いて巣礎枠１０を載置し、開いた側面を閉じてロックし、図１０の（１）に示すように巣礎枠１０を収納する。図１１は３個の金網籠１１を巣礎枠保持体４ｃに取り付けた状態の平面図である。
【００２０】
図１２は、巣礎枠１０を収納した金網籠１１を巣礎枠保持体４ｃに取り付けた状態で回転フレーム４を水平旋回させている状態である。回転フレーム４は、市販の電気ドリルで水平旋回させる。回転フレーム４の先端部には市販電気ドリル２０の先端部で掴むことのできる六角形柱状部４ｇが形成されている。この先端部は蓋体３中央の円形軸受３ａから突出するので、その部分を電気ドリルの先端部で掴み電気ドリルで回転させる。電気ドリルは作業者が手で保持し、回転フレーム４からの反力を受け止める。
【００２１】
以上説明した蜂蜜遠心分離容器１では、円筒状容器内で巣礎枠を保持して回転する回転フレーム４は円筒状容器２内に立設した回転軸２ａの先端部に円錐ころ軸受４ｄを介して載っているだけである。このため清掃時には蓋体３、回転フレーム４を円筒状容器２の外に簡単に取り外し、それら各部品の清掃を容易に行なうことのできる。また、回転フレーム４の旋回には市販電気ドリル２０を使用する。市販電気ドリル２０には充電式のものがあり、充電式電気ドリルを使用すれば、電気配線の届かない場所でも蜂蜜抽出作業ができる利点がある。
【符号の説明】
【００２２】
図面中、１は蜂蜜遠心分離容器、２は円筒状容器、２ａは回転軸、２ｂは蜂蜜流出口、２ｃは段差部分、３は蓋体、３ａは円形軸受、４は回転フレーム、４ａは上部回転軸、４ｂは円錐ころ軸受収容部、４ｃは巣礎枠保持体、４ｄは円錐ころ軸受、４ｅは上側短円筒状カバー、４ｆは下側短円筒状カバー、４ｇは六角形柱状部、４ｈは雌螺子部、４ｉは雄螺子部、４ｊは溝形枠体、４ｋはＹ形状棒、４ｍはＹ形状棒支持円筒体、４ｎはＬ形折り曲げ部、１０は巣礎枠、１１は金網籠、２０は電気ドリルを示す。
【図１】
2020005516.tif 000003
【図２】
2020005516.tif 000004
【図３】
2020005516.tif 000005
【図４】
2020005516.tif 000006
【図５】
2020005516.tif 000007
【図６】
2020005516.tif 000008
【図７】
2020005516.tif 000009
【図８】
2020005516.tif 000010
【図９】
2020005516.tif 000011
【図１０】
2020005516.tif 000012
【図１１】
2020005516.tif 000013
【図１２】
2020005516.tif 000014